(57)【要約】  それぞれ第１基地局（１０１、５０１）と第２基地局（１２１、５１１）に付随しており少なくとも部分的にある共通の地理的エリア（１２０、５０４）で重なり合い同期される第１セル（１００、５００）と第２セル（１２０、５１０）を含む複数のセルからなるセルラー通信ネットワークにおける端末の同期方法に関するものであって、第１基地局によって送信されその端末によって受信される同期信号（ＳＣＨ４００、６００）との第１同期ステップと、第２基地局によって送信されその端末によって受信されるマルチパスの処理に用いられる所定の信号（ＣＰＩＣＨ４０６、６１１）との第２同期ステップとを含む同期方法。
2005510943.tif 000002
【特許請求の範囲】
【請求項１】
それぞれ第１基地局（１０１、５０１）と第２基地局（１２１、５１１）に付随しており、ある共通の地理的エリア（１２０、５０４）において少なくとも部分的に重なり合い同期される第１セル（１００、５００）と第２セル（１２０、５１０）とを含む複数のセルを備えるセルラー通信ネットワークにおいて端末（１２３）を同期させる方法であって、
前記端末が前記共通の地理的エリア内に存在するとき、
前記第１基地局によって送信され前記端末によって受信される同期信号（ＳＣＨ４００、６００）との第１同期ステップと、
前記第２基地局によって送信され前記端末によって受信され、マルチパスの処理に用いられる所定の信号（ＣＰＩＣＨ４０６、６１１）についての第２同期ステップと
を含むことを特徴とする同期方法。
【請求項２】
前記第２基地局によって送信された前記所定の信号に対応する少なくとも１つのパスを特定するステップであって、前記第２同期ステップを提供して、該所定の信号を通過させているマルチパスを解析することによって行なわれるパス特定ステップを、前記端末が実行し、該所定の信号に対応する１つのパスまたは複数のパスの１つが第１パスと称されて同期のベースとみなされることを特徴とする請求項１に記載の同期方法。
【請求項３】
前記第１同期ステップにおいては、前記第２基地局に対して５乃至５０μ秒程度の同期誤差が許容されることを特徴とする請求項１または２に記載の同期方法。
【請求項４】
前記第１同期ステップにおいては、前記第２基地局に対して５乃至３０μ秒程度の同期誤差が許容されることを特徴とする請求項３に記載の同期方法。
【請求項５】
前記第２同期ステップにおいては、前記第２基地局に対して５μ秒未満の同期誤差が許容されることを特徴とする請求項１乃至４のいずれかに記載の同期方法。
【請求項６】
前記第１基地局が前記第２基地局に同期情報を送信して、該第２基地局が該第１基地局と同期することを可能にすることを特徴とする請求項１乃至５のいずれかに記載の同期方法。
【請求項７】
前記同期情報が有線リンクで伝送されることを特徴とする請求項６に記載の同期方法。
【請求項８】
前記第１基地局によって送信される前記同期信号を介して前記同期情報が伝送されることを特徴とする請求項６に記載の同期方法。
【請求項９】
第３の装置が前記第１基地局と前記第２基地局とに同期情報を送信して、該第２基地局が該第１基地局に同期することを可能にする請求項１乃至５のいずれかに記載の同期方法。
【請求項１０】
それぞれ第１基地局（１０１、５０１）と第２基地局（１２１、５１１）に付随しており、ある共通の地理的エリア（１２０、５０４）において少なくとも部分的に重なり合い同期される第１セル（１００、５００）と第２セル（１２０、５１０）とを含む複数のセルを備えるセルラ通信ネットワークにおいて端末（１２３）のハンドオーバを処理する方法であって、
前記端末は、該端末と遠隔の端末との間の通信がセットアップされたときには通信モードにあることが可能であり、また通信モードになくても前記ネットワークセルの１つにおいて通信が可能な状態で存在するときには待機モードにあるものであり、
前記端末が前記共通のエリア内に存在し、前記第１基地局と通信モードにある前記端末が前記第１セルから前記第２セルに切り替えられるとき、
前記第１基地局によって送信され前記端末によって受信される同期信号（ＳＣＨ４００、６００））との第１同期ステップと、
前記第２基地局によって送信され前記端末によって受信されるマルチパスの処理に用いられる所定の信号（ＣＰＩＣＨ４０６、６１１）についての第２同期ステップと
を含むことを特徴とするハンドオーバー方法。
【請求項１１】
請求項１乃至９のいずれかに記載された同期方法を使用することを特徴とする請求項１０に記載のハンドオーバー方法。
【請求項１２】
前記第１セルは前記第２セルを取り囲んでおり、前記第１基地局が前記第１セル内に存在する端末の前記待機モードを管理し、前記第２基地局が前記通信モードを管理することが可能であることを特徴とする請求項１０または１１に記載のハンドオーバー方法。
【請求項１３】
前記第１基地局が前記第２セル内に存在する前記端末の通信の開始を管理し、続いて前記セルラー通信ネットワークが前記通信の管理を前記第２基地局に切り替えることを特徴とする請求項１２に記載のハンドオーバー方法。
【請求項１４】
それぞれ第１基地局と第２基地局とに付随しており、少なくとも部分的に重なり合い同期される第１セルと第２セルとを含むセルラー通信ネットワーク内において少なくとも前記第１基地局と協働する端末であって、当該端末と遠隔の端末との間の通信がセットアップされたときには通信モードにあることが可能であり、また通信モードになくても前記ネットワークセルの１つにおいて通信が可能な状態で存在するときに待機モードにあるものであり、
前記第１基地局によって送信され当該端末によって受信される同期信号（ＳＣＨ）についての第１の同期を図る第１同期手段と、
前記第２基地局によって送信され当該端末によって受信されるマルチパスの処理に用いられる所定の信号（ＣＰＩＣＨ）についての第２の同期を図る第２同期手段と
を具備することを特徴とする端末。
【請求項１５】
前記所定の信号がたどるマルチパスを解析する手段であって前記第２基地局によって送信される該所定の信号に対応する少なくとも１つのパスを特定することが可能な手段を前記同期手段が含んでおり、該所定の信号に対応する１つのパスまたは複数のパスの１つは第１パスと称され同期のベースとみなされることを特徴とする請求項１６に記載の端末。
【請求項１６】
前記第１の同期では、５乃至５０μ秒程度の同期誤差が許容されることを特徴とする請求項１４または１５に記載の端末。
【請求項１７】
前記第１の同期では、５乃至３０μ秒程度の同期誤差が許容されることを特徴とする請求項１６に記載の端末。
【請求項１８】
前記第２の同期では、５μ秒未満の同期誤差が許容されることを特徴とする請求項１６乃至１９のいずれかに記載の端末。
【請求項１９】
第２基地局と称され、セルラー通信ネットワークにおいて第２セルに付随することになる基地局であって、該ネットワークは、第１基地局と少なくとも１つの端末とに付随する第１セルを含む複数のセルを備えており、前記第１セルと前記第２のセルとはある共通の地理的エリアにおいて少なくとも部分的に重なり合うものであり、
前記第１基地局によって送信されその端末によって受信される同期信号（ＳＣＨ）についての第１同期ステップと、
前記第２基地局によって送信されその端末によって受信されるマルチパスの処理に用いられる所定の信号（ＣＰＩＣＨ）についての第２同期ステップと
を前記端末の少なくとも１つが実行することができるようになされている前記第１基地局との同期手段を具備することを特徴とする基地局。
【請求項２０】
前記端末の通信モードを管理する手段を具備するが、該端末の待機モードを管理する手段は含まない前記第２基地局であって、
前記端末は、該端末と遠隔の端末との間の通信がセットアップされたときには通信モードにあることが可能であり、また通信モードになく、前記ネットワークセルの１つにおいて通信が可能な状態で存在するときには待機モードにあるものであることを特徴とする請求項１９に記載の基地局。
【請求項２１】
第１基地局に付随する第１セルと少なくとも１つの第２セルとを含む複数のセルを備え、前記第１セルと前記少なくとも１つの第２セルの各セルとはある共通の地理的エリアにおいて少なくとも部分的にそれぞれ互いに重なり合い同期されるようにされているセルラー通信ネットワークであって、
前記少なくとも１つの第２セルの各セルが請求項１９または２０に記載された少なくとも１つの第２基地局に付随することを特徴とするセルラー通信ネットワーク。
【発明の詳細な説明】
【技術分野】
【０００１】
本発明はセルラー方式無線電話技術に関する。より詳しくは、本発明は移動体無線通信ネットワークセル上にある端末の同期技術に関する。
【背景技術】
【０００２】
ＵＭＴＳ（Universal Mobile Telecommunication System）タイプや３ＧＰＰ（3rd Generation Partnership Project：第３世代移動体通信規格化プロジェクト）タイプのセルラーネットワーク等のセルラーネットワークにおいては、迅速にデータを送信及び／または受信することができるようになるには、端末がセル上で同期されなければならない。故に、端末からまたは端末への情報伝送を最適化するためには、ネットワークのセル上にある端末の同期を迅速に行なえることが必要である。
【０００３】
同期技術としては、例えばＳＣＨ（Synchronisation Channel：同期チャンネル）タイプの個別チャネル（dedicated channel）を使用することに基づくものが知られている。この同期技術は通常は比較的有効であるが、しかし一部の環境において特に端末があるセルから別のセルに移動して頻繁に変化するときには遅くなるという不利な点がある。
【０００４】
さらに、セルラーネットワークにおいて通信の進行を妨げることなく端末が移動できることを考慮するには、端末がセルからセルへ非常に迅速にセルを変更することを可能にするセル切替（cell transfers）または「ハンドオーバー（hand-overs）」をネットワークが管理しなければならない。この「ハンドオーバー」は、特にある固定された基地局と通信をしている端末が、その端末自体が付随している基地局を変更して通信することが好ましいときに使用されることに注意されたい。「ハンドオーバー」は異なる理由によっても用いることができる。異なる理由とは、例えば、無線リンクのクォリティが低い、通信量があまりに多すぎて基地局が飽和状態にある、端末が第１基地局を離れて別の基地局に移動するときの移動、端末が要求するサービスに対する基地局の適合性などである。
【０００５】
この「ハンドオーバー」は、ユーザーに提供されるサービスの効率性、クォリティ、及び流動性の理由から迅速に行わなければならない。
【０００６】
従来より、通信の中断を引き起こす比較的遅い異周波数間「ハンドオーバー」手続が（言い替えると、端末が付随するセルの周波数が「ハンドオーバー」の前後で異なるとき）使用されている。
【０００７】
ＣＤＭＡ（Code Division Multiple Access：符号分割多重アクセス方式）に基づくチャネルアクセス技術を使用する第３世代無線電話システムでこの異周波数間「ハンドオーバー」を実施するには、例えばＵＭＴＳおよび３ＧＰＰシステムにおいて、移動体端末は異なるセル上で電力測定を実施するために端末自体をこれらの異なるセルに同期させる「圧縮モード」の空き時間を使用しなければならない。同期を図るために、移動体端末はまず第１のＳＣＨチャネルをリスンし、次に第２のＳＣＨチャネルをリスンし、続いて電力測定が行われるＣＰＩＣＨチャネルをリスンしなければならない。
【発明の開示】
【発明が解決しようとする課題】
【０００８】
しかしながら従来技術に基づくこの技術は、圧縮モードから生じる空き時間の持続時間が短いので同期ステップが非常に長いという欠点を有する。
【０００９】
それ故に、ＵＭＴＳ及び３ＧＰＰタイプのネットワークは、通信を開始する前に、通信の開始時点での「ハンドオーバー」が必要とならない最適なセル上に移動体端末が既に存在しているように規定される。
【００１０】
本発明の様々な特徴は特に従来技術のこれらの欠点を克服することを意図している。
【００１１】
より正確には、本発明の第１の目的は、あるセルから別のセルに端末が移動する際に同期を迅速に行なうことができるようにすることにある。
【００１２】
本発明の別の目的は、特に異周波数間「ハンドオーバー」手続の場合において、端末の迅速な「ハンドオーバー」を可能にすることにある。
【００１３】
本発明の更に別の目的は、実施中の現行規格、特に３ＧＰＰ委員会によって規定され配布されたＵＭＴＳ ＦＤＤ規格（Frequency Division Duplex：周波数分割複信）（特にこの規格のシリーズ２５）に対する変更を全くまたはほとんど必要としない第３世代セルラー通信ネットワーク向けの端末を使用することを可能にすることにある。
【課題を解決するための手段】
【００１４】
以上の目的を達成するため、本発明は、それぞれ第１基地局と第２基地局に付随しており、ある共通の地理的エリアで少なくとも部分的に重なり合い同期される第１セルと第２セルを含む複数のセルを備えるセルラー通信ネットワークにおいて端末を同期させる方法であって、
前記端末が前記共通のエリア内に存在するとき、
第１基地局によって送信され前記端末によって受信される同期信号（ＳＣＨ）についての第１同期ステップと、
第２基地局によって送信され前記端末によって受信され、マルチパス（multi-path：多重経路）の処理に用いられる所定の信号（ＣＰＩＣＨ）についての第２同期ステップと
を含むことを特徴とする方法を提供する。
【００１５】
この場合、第１セル及び第２セルは好ましくは互いに同期されるか、あるいは擬似同期（pseudo-synchronised）、すなわち若干の同期許容度をもって同期される。
【００１６】
前記端末の第１同期ステップにおいては、第１基地局と完全または準完全な同期が図られるが、第２基地局とは粗い同期が図られる場合がある。
【００１７】
一方、前記端末の第２の同期では第２基地局と完全または準完全な同期が図られる。
【００１８】
本発明の１つの特別な特徴として前記同期方法において、第２基地局によって送信された前記所定の信号に対応する少なくとも１つのパスを特定するステップであって、第２同期ステップを提供して、前記所定の信号を通過させているマルチパスを解析することによって行なわれる特定ステップを前記端末が実行し、前記所定の信号に対応する１つのパスまたは複数のパスの１つは第１パスと称され同期のベースとみなされることが注目すべき点である。
【００１９】
こうして、本発明によれば第２基地局との同期は、前記所定の信号（例えばＵＭＴＳ規格のＣＰＩＣＨチャネル）に関係があるマルチパスを解析するために既に実行されている手段を使用するので比較的容易に実行される。
【００２０】
さらに、本発明によれば特定の同期チャネル（例えばＵＭＴＳ規格のＳＣＨチャネル）を用いる必要が全くないので通過帯域が節約でき、第２基地局を実現することが容易になる。
【００２１】
本発明の１つの特別な特徴として、本発明による同期方法は第１同期ステップにおいて第２基地局について５乃至５０μ秒の同期誤差を許容することが注目すべき点である。
【００２２】
本発明の１つの特別な特徴として、本発明による同期方法は第１同期ステップにおいて第２基地局について５乃至３０μ秒の同期誤差を許容することが注目すべき点である。
【００２３】
本発明の１つの特別な特徴として、本発明による同期方法は第２同期ステップにおいて第２基地局について５μ秒未満の同期誤差を許容することが注目すべき点である。
【００２４】
こうして、本発明によれば、端末の第２基地局との比較的粗い（３０μ秒または最大でも５０μ秒までの）第１の同期と、端末の同じ第２基地局とのより精密または完全な第２の同期が可能となる。
【００２５】
本発明の１つの特別な特徴として、本発明による同期方法は、第１基地局が第２基地局に同期情報を送信して第２基地局が第１基地局と同期することを可能にすることが注目すべき点である。
【００２６】
本発明の１つの特別な特徴として、本発明による同期方法は、同期情報が有線リンクで伝送されることが注目すべき点である。
【００２７】
本発明の１つの特別な特徴として、本発明による同期方法は、前記同期情報が第１基地局によって送信される同期信号を介して伝送されることが注目すべき点である。
【００２８】
本発明の１つの特別な特徴として、本発明による同期方法は、第３の装置が第１基地局と第２基地局に同期情報を送信して第２基地局が第１基地局と同期することを可能にすることが注目すべき点である。
【００２９】
こうして、本発明によれば、第１基地局と第２基地局との間の同期を実現することは比較的単純である。
【００３０】
特に、それは、
第２基地局が第１基地局によって送信されたこの信号を拾うときには既存の同期チャネル（例えばＵＭＴＳのＳＣＨ）を介して、または、
無線信号の送信及び／または受信のどんな問題も克服する専用の有線リンクまたはネットワークインフラによって、または、
同期信号を第１基地局に出力して同期のより精密な制御を可能にする本目的専用の場合がある、あるいは第１基地局及び第２基地局内にある制御装置部分へもしくはそこから接続される場合がある、第三者装置を使用することによって
実施されることがある。
【００３１】
本発明によれば、端末の第１基地局との第１の同期は第２基地局との同期と可能な限り同程度に精密になるように制御されることもある。特に、第１基地局から第２基地局に送信された同期信号の伝搬遅延を考慮することが可能である。ネットワーク装置（第１基地局または制御装置）は場合によっては端末に対し２つの基地局間の同期遅延について通知してその端末がそれを考慮することができるようにすることも可能である。
【００３２】
本発明は、それぞれ第１基地局と第２基地局に付随しており、ある共通の地理的エリアにおいて少なくとも部分的に重なり合い同期される第１セルと第２セルとを含む複数のセルを備えるセルラー通信ネットワークにおいて端末のハンドオーバーを処理する方法でもあって、特に、前記端末は、その端末と遠隔の端末との間の通信がセットアップされたときには通信モードにあることが可能であり、また通信モードになくても前記複数のセルの１つにおいて通信が可能な状態で存在するときには待機モードにあるものであって、前記端末が前記共通のエリア内に存在し、第１基地局と通信モードにある前記端末が第１セルから第２セルに接続が切り替えられるときに、
第１基地局によって送信され前記端末によって受信される同期信号（ＳＣＨ）についての第１同期ステップと、
第２基地局によって送信され前記末端によって受信されるマルチパスの処理に用いられる所定の信号（ＣＰＩＣＨ）についての第２同期ステップと
を含むことを特徴とする。
【００３３】
こうして、本発明によれば、第１基地局と第２基地局が同じ周波数を使用していない場合でさえ、端末が２つのセル間を切り替わること（または迅速な「ハンドオーバー」）が可能となる。
【００３４】
本発明の１つの特別な特徴として、このセル間切替方法は上述したような同期方法を使用することが注目すべき点である。
【００３５】
本発明の１つの特別な特徴として、このセル間切替方法において、第１セルは第２セルを取り囲んでおり、第１基地局は第１セル内に存在する前記端末の待機モードを管理し、第２基地局は通信モードを管理することが可能である、ことが注目すべき点である。
【００３６】
本発明の１つの特別な特徴として、このハンドオーバー方法において、第１基地局は第２セル内に存在する前記端末の通信の開始を管理し、その際にセルラー通信ネットワークは通信の管理を第２基地局に切り替えることが注目すべき点である。
【００３７】
本発明は端末にも関係している。これは、それぞれ第１基地局と第２基地局とに付随しており少なくとも部分的に重なり合い同期される第１セルと第２セルとを含むセルラー通信ネットワーク内において第１セルに付随する少なくとも第１基地局と協働する端末であって、特にこの端末と遠隔の端末との間の通信がセットアップされたときには通信モードにあることが可能であり、また通信モードになくても前記ネットワークセルの１つにおいて通信が可能な状態で存在するときには待機モードにあるものにおいて、
第１基地局によって送信されこの端末によって受信される同期信号（ＳＣＨ）についての第１の同期を図る手段と、
第２基地局によって送信されこの端末によって受信されるマルチパスの処理に用いられる所定の信号（ＣＰＩＣＨ）についての第２の同期を図る手段と
を具備することを特徴とする。
【００３８】
本発明の１つの特別な特徴として、前記所定の信号がたどるマルチパスを解析して、第２基地局によって送信される前記所定の信号に対応する少なくとも１つのパスを特定することが可能な手段を前記同期手段が含み、前記所定の信号に対応する１つのパスまたは複数のパスの１つは第１パスと称され同期のベースとみなされる、前記端末が注目すべき点である。
【００３９】
本発明の１つの特別な特徴として、第１の同期では５乃至５０μ秒の同期誤差を許容することが注目すべき点である。
【００４０】
本発明の１つの特別な特徴として、第１の同期では５乃至３０μ秒の同期誤差を許容することが注目すべき点である。
【００４１】
本発明の１つの特別な特徴として、第２の同期では５μ秒未満の同期誤差を許容することが注目すべき点である。
【００４２】
本発明は基地局にも関係している。これは、第２基地局と称され、セルラー通信ネットワークにおいて第２セルに付随することになる基地局であって、該ネットワークは、第１基地局と少なくとも１つの端末とに付随する第１セルを含むいくつかのセルを備えており、前記第１セルと前記第２のセルとはある共通の地理的エリアにおいて少なくとも部分的に重なり合うものであり、
前記第１基地局によって送信されその端末によって受信される同期信号（ＳＣＨ）についての第１同期ステップと、
前記第２基地局によって送信されその端末によって受信されるマルチパスの処理に用いられる所定の信号（ＣＰＩＣＨ）についての第２同期ステップと
を前記端末の少なくとも１つが実行することができるようになされている前記第１基地局との同期手段を具備することを特徴とする。
【００４３】
本発明の１つの特別な特徴として、本発明による第２基地局は、前記端末の通信モードを管理する手段を具備し、前記端末の待機モードを管理する手段は含まない前記端末が、その端末と遠隔の端末との間の通信がセットアップされたときには通信モードにあることが可能であり、また通信モードになく、前記複数のセルの１つにおいて通信が可能な状態で存在するときには待機モードにある、基地局が注目すべき点である。
【００４４】
さらに本発明はセルラー通信ネットワークにも関係している。これは、第１基地局に付随する第１セルと少なくとも１つの第２セルとを含む複数のセルを備え、第１セルと少なくとも１つの第２セルの各セルとはある共通の地理的エリアにおいて少なくとも部分的にそれぞれ互いに重なり合い同期されるようにされているセルラー通信ネットワークであって、
少なくとも１つの第２セルの各セルが上述した少なくとも１つの第２基地局に付随することを特徴とする。
【００４５】
本発明によるセルラー通信ネットワークのハンドオーバー方法、端末、第２基地局の利点は端末同期方法の利点と同じであるので、繰り返しを避けるためにここでは詳述しないことにする。
【発明を実施するための最良の形態】
【００４６】
以下、本発明の実施の最良の態様を添付図面を参照しながら詳細に説明する。なお、ここに紹介する実施態様はあくまでも本発明を具体的に説明するための例示的なもので、それらの態様に本発明が限定されるものと解してはならない。
【００４７】
セルを変更する問題は新たなセル上で交信する端末の必要な時間的再同期と関係する。
【００４８】
そのため、本発明の一般原理はこの作業を単純化することにあり、
隣接したセルまたは部分的もしくは全体的に重ね合わさったセル（特に大きなセルが小さなセルを取り囲むケース）の同期または擬似同期と、
「ハンドオーバー」が行われているセル内の端末と基地局との間の距離が、その端末がこの基地局の同期チャネル（ＳＣＨ）をリスンする必要がないとみなされるほど十分小さいという事実と
に基づく。
【００４９】
本発明において使用されるアプローチに基づくセルの間の同期は非常に高い精度を必要とせず、擬似同期で十分な場合があることに注意されたい。本文脈における擬似同期とは５０μ秒未満、好ましくは３０マイクロ秒以下の精度での同期を意味する。
【００５０】
特に、この擬似同期は、
２つのセルのそれぞれのセルにそれぞれ付随する２つの基地局の間の有線リンク（このリンクは同期専用またはデータ転送に使用されるリンクであることが可能である）を使用すること、
第２基地局によって同期チャネルで送信された同期信号をリスンし処理する第１基地局と
によって得られることがある。
【００５１】
ユーザ端末は特に携帯無線機または固定無線機（例えば携帯電話機または無線通信システムを含む何か他の装置（例えば携帯型コンピュータ））からなることに注意されたい。
【００５２】
２つのセルの第１セルに付随する第１基地局がもう一方の第２セルに付随する第２基地局によって同期チャネル（ＳＣＨ）で送信された同期信号をリスンしそれを処理し、それらの基地局の周波数基準の非常に小さなドリフトを考慮に入れることによってその２つのセルが擬似同期可能なときは、それら２つのセルは頻繁に互いに再同期が図られる必要は全くない。
【００５３】
さらに、「ハンドオーバー」手続が使用される基地局と端末との間の距離は比較的小さいので、その結果として同期の時間不確定性は短く、故に「ハンドオーバー」の際の行き先セルの同期ステップはＳＣＨチャネルではなくＣＰＩＣＨチャネル（Common PIlot Channel：共通パイロットチャンネル）をリスンすることによってのみ生じる。これら２つのチャネルは行き先セルの基地局に付随するものである。
【００５４】
ＣＰＩＣＨチャネルはＵＭＴＳ規格に準拠し、位相を決定して同期済みセルの異なるエコーを探すために使用される。
【００５５】
本発明の文脈においては、ＣＰＩＣＨチャネルも同期チャネルとして使用される。
【００５６】
同期済みセルの異なるエコーを探すために使用される端末の電子部分は非同期性があまり大きくない場合にセル上で同期するために使用されることがあることに注意されたい。
【００５７】
ＵＭＴＳ端末は、既知のエコーを中心としてプラスマイナス約２６μ秒の範囲でセルの異なるエコーを探し求めるように設計されている。エコーが１つしかない場合には理論的にはそれはダイレクトパスである。
【００５８】
従って、ＣＰＩＣＨチャネルを使用することにより、同期がプラスマイナス２６マイクロ秒以内にあることがわかっているセルを同期させる手段が実現される。
【００５９】
本発明の文脈において、これら２６マイクロ秒は２つのセル間（この２つのセルは既に述べたように擬似同期されることがある）の同期誤差と、行き先セル内の未知の伝搬時間に関係する不確定性とに対応しているはずである。
【００６０】
それ故に、行き先セルは小さくあるべきこと、例えば半径３ｋｍのセル内の伝搬時間は０マイクロ秒（端末が基地局に非常に近い場合）から約１０マイクロ秒（端末がセルの境界にある場合）の間にあるべきことが重要である。
【００６１】
本発明はＵＭＴＳネットワーク内の全てのセルが適合すべきであることを必要としないことに注意することが大切である。同じネットワーク内の一部のセルは本発明のメカニズムを使用して働き、一方、他のセルは擬似同期されない。
【００６２】
次に図１に本発明を使用する移動体無線電話ネットワークのブロック図を示す。
【００６３】
例えば、このネットワークは３ＧＰＰ委員会によって定められたＵＭＴＳ規格と互換性がある場合がある。
【００６４】
このネットワークは基地局１０１（ＢＳ：base station）によって管理される大セル１００（マクロセル）を含む。
【００６５】
このセル１００は２つのより小さなセル１１０と１２０（「マイクロセル（micro-cell）」または「ピコセル（pico-cell）」）を包含する。
【００６６】
セル１１０と１２０はそれぞれ各々の基地局１１１と１２１を含んでおり、これらの基地局はそれぞれの対応するセル内部の通信を管理する（取り仕切る）ことができる。
【００６７】
説明目的のため、セル１００内部には数個の端末（ＵＥ）が存在することに注意する。小セル１１０と１２０のいずれのセルにもこれらのアイテムの端末の一部が存在する。
【００６８】
こうして、端末１１２はセル１１０内部に存在し、故に基地局１０１と１１１からあるいはそれらへ信号を受信または送信することが可能である。
【００６９】
同様に、端末１２２と１２３はセル１２０内部に存在し、故に基地局１０１と１２１からあるいはそれらへ信号を受信または送信することが可能である。
【００７０】
しかしながら、端末１０２及び１０３はセル１００内に存在するものの、セル１１０と１２０のいずれにも含まれないので、基地局１０１からまたはそれに信号を送受信することができるが、基地局１１１と１２１のいずれからもあるいはいずれへも信号を送受信することはできない。
【００７１】
図１にセル１００の異なる構成要素間のある瞬間における連絡の様子を示す。この図において、
細い破線は基地局同士間の連絡を示し、
太い破線は基地局１０１と待機状態にある端末（図１では例えば端末１１２、１２２、１２３と１０２）との間の連絡を示し、
実線は通信リンク（端末１０３と基地局１０１の間のリンク）を示している。
【００７２】
一部の端末は待機モードにある、言い替えれば、（待機モードにある）端末は通信モードにはないがセル１００、１１０または１２０のいずれかにおいて通信が可能な状態で存在することに注意する。特に、これらの端末はマクロセル１００に属する基地局１０１によって送信された信号をリスンしてている状態にある。またこれらの信号は、
通信プロトコルの高位層に提供されるサービスに対応する特にＢＣＨ（Broadcast CHannel：報知チャネル）チャネルやＰＣＨ（Paging CHannel：呼出チャネル）チャネルといった共通トランスポートチャネルと、
通信プロトコルの物理層（physical layer）に対応する特にＣＰＩＣＨチャネルといった共通トランスポートチャネルと
により伝送される。
【００７３】
待機モードでは端末は個別チャネルをリスンしていないことにも注意されたい。
【００７４】
一方、端末１０３は同時に上りと下りのチャネルである個別チャネル（ＤＣＨ：Dedicated CHannel）で基地局１０１と通信中なので待機モードにはない。
【００７５】
３ＧＰＰネットワークによって使用されるチャネルは移動体ネットワーク分野の当業者に周知なものであり、特に、３ＧＰＰ出版部から出版された３ＧＰＰのＴＳ２５．２１１規格リファレンス「３ＧＰＰ、技術仕様グループの無線アクセスネットワーク；物理チャネル及びトランスポートチャネルから物理チャネルへのマッピング（ＦＤＤ）、１９９９年リリース（3rd Generation Partnership Project, Technical Specification Group Radio Access Network;Physical Channels and mapping of transport channels onto physical channels (FDD) release 1999）」に詳細仕様が定められている。従ってこれらのチャネルについてはここでは詳述されない。
【００７６】
図２に、図１のネットワークで時間がしばらく経過したときの状況を示し、特に、マイクロセル１２０内部で端末１２３と基地局１２１の間で通信がセットアップされているときの状況を示す。
【００７７】
図２によれば、端末１２３はチャネルデータ及び／または交換データの転送を可能にする上りまたは下りの個別チャネルＤＣＨを介して基地局１２１に直接接続されていることに注意する。
【００７８】
図３に、図１と図２にそれぞれ示された基地局１２１を図式的に示す。
【００７９】
基地局１２１は、アドレス兼データバス３０７を使って相互に接続されている、
プロセッサ３０４と、
ＲＡＭ３０６と、
不揮発性メモリ３０５と、
移動体ネットワークまたは他のネットワークの固定インフラに接続するための有線ネットワークインタフェース３００と、
基地局１２１との通信を行なっている端末によって専用の上りチャネルで送信された信号と、特に同期チャネルＳＣＨ（既存のＵＭＴＳ規格においては、基地局ではなくユーザ端末によってのみＳＣＨチャネルがリスンされなくてはならないということは必要とされないことに注意を要する）において基地局１０１によって送信された信号とを受信するための無線受信インタフェース３０１と、
専用の下りチャネルと物理層（通信プロトコルのより上位の層にではなく）に対応する共通トランスポートチャネル（特にＣＰＩＣＨチャネル）において信号を伝送するための伝送無線インタフェース３０２と、
マシーンと制御及びメンテナンスのため対話することを可能にするマン／マシーンインタフェース３０３と
を具備する。
【００８０】
ＲＡＭ３０６はデータ、変数３０９及び中間的な処理結果を保存する。
【００８１】
不揮発性メモリ３０５は、便宜上そこに保存されたデータと同じネーミングを有するレジスタ内に、中でも、
「prog」レジスタ３１０においてプロセッサ３０４の作動プログラムと、
基地局１２１の設定パラメータ（configuration parameters）３１１と
を保存する。
【００８２】
基地局１２１は基地局１０１よりも簡単に実現され、特に、基地局１０１の作動プログラムよりもシンプルな作動プログラムを含むことに注意する。というのは、基地局１２１の作動プログラムは基地局１２１が管理する必要のない共通のチャネル機能を持たないからである。
【００８３】
また、端末（図示されていない）は以下のような、アドレス兼データバスによって相互に接続されている、
プロセッサと、
ＲＡＭと、
不揮発性メモリと、
基地局１０１によって送信されたＳＣＨタイプの信号と待機モードで同期し、次に基地局１２１によって送信されたＣＰＩＣＨタイプの信号と通信モードで同期し、そして一般に基地局１０１と１２１によって専用の下りチャネルで伝送された信号を受信するための無線受信インタフェースと、
専用の上りチャネルと共通上りトランスポートチャネルで信号を伝送するための伝送無線インタフェースと、
マシーンと制御及びメンテナンスのため対話することを可能にするマン／マシーンインタフェースと
を具備することに注意する。
【００８４】
図４に、端末１２３が待機モードにある図１のネットワークの状況から端末１２３が基地局１２１との通信モードにある図２のネットワークの状況へと変化するときの基地局１０１および１２１と、端末１２３との間の通信プロトコルを示す。
【００８５】
基地局１０１は、ＳＣＨ下りチャネルによりマクロセル１００内に存在する基地局および端末へと、特に基地局１２１および端末１２３から信号４００を送信する。こうして、基地局１２１および端末１２３（図１によれば待機モードにある）は、基地局１０１のＳＣＨチャネル上で同期される。
【００８６】
基地局１０１はこのＳＣＨ信号を定期的に送信するものであり、基地局１２１の擬似同期がある決まった所定の閾値を超えて劣化したらすぐに、基地局１２１は基地局１０１と再同期することに注意する。
【００８７】
また、基地局１０１と１２１は固定されているので、これら２つの基地局間の信号伝搬時間はわかっていることに注意する。従って、この伝搬時間の知識を使用して端末の基地局１２１との同期を、
基地局１０１によって送信されたＳＣＨ信号に関する基地局１２１の同期遅延、例えば基地局１０１と１２１との間のＳＣＨ信号の伝搬時間に等しい同期遅延および／または、
端末１２３に送信され、同期ポジションを指定する情報を搬送する「ハンドオーバー」信号（詳細に後述される信号４０５）と
によって改善することが可能である。
【００８８】
基地局１０１はＢＣＨチャネルによって信号４０１も送信する。この下り信号は端末１２３がどのＰＣＨチャネルをリスンすべきかを指示する。こうして、端末１２３はこの信号４０１を受信した後、信号４０１に指示されたＰＣＨチャネルをリスンする。
【００８９】
続いて基地局１０１は信号４０１に指示されたＰＣＨチャネルで端末１２３に、着信（incoming call）を検出するために使用される信号を送信する。
【００９０】
次に、端末１２３が通信を初期化する必要があると仮定すると、端末１２３はＲＡＣＨ（Random Access CHannel：ランダムアクセスチャネル）チャネル（これは高位層チャネルアクセスサービスに対応する共通チャネルである）で信号４０３を送信する。この信号４０３は端末１０３が通信のセットアップを要求していることを基地局１０１に通知する信号である。
【００９１】
次に基地局１０１はＦＡＣＨ（Fast Access CHannel：高速アクセスチャネル）チャネル（これも高位層サービスに対応する共通チャネルである）で通信チャネル割り当て信号４０４を送信する。
【００９２】
続いて端末１２３と基地局１０１との間の通信がセットアップされる。ハンドオーバー専用の端末アプリケーションに相当するデータと関連する制御データとを含む１つまたは複数の信号４０５が双方向チャネルＤＰＣＨによって交換される。
【００９３】
端末１２３から基地局１２１への通信を実現するためのハンドオーバーは、多くの基準、特にスループットや通信クォリティや基地局１２１の特性（とりわけ、その基地局が高スループット通信の管理によく適合しているという事実）などの基準、に応じたネットワーク判定（基地局１０１と１２１に接続されたＲＮＣ（Radio Network Controller）によるもの）に従って行われることに注意する。
【００９４】
このときネットワーク状況は図２に示されものと同じようなものになる。
【００９５】
次に端末１２３は、本発明によれば端末１２３の同期を微調整するために使用されるパイロットチャネル４０６ＣＰＩＣＨをリスンする。セル１２０のサイズが小さく、基地局１２１が基地局１０１と擬似同期されている場合（言い替えると、セル１２０と１００の間の同期は粗く不完全でその同期誤差が約２０または３０μ秒未満の場合、同期済みネットワークのそれ自体分かっている同期誤差は５μ秒未満である）、端末１２３と基地局１２１との間の結果的な同期誤差は信号４０６を使用することにより補正されることがある。端末１２３は、ある基地局によって送信された信号と関係があるマルチパスを利用する手段を具備する（このマルチパス現象は当業者の間ではよく知られており、特に信号が障害物によって反射され多方向に送信された結果で、同じ送信信号を源とする異なる受信信号は異なるパスをたどるが一般に異なる振幅を持ち位相は一致しない）。特に、ＲＡＫＥ型受信機がマルチパス信号と関係がある異なる遅延を割り出すために使用することができることに注意する。従って、遅延があまり大きくない場合（言い替えると、３ＧＰＰ規格の文脈で２０μ秒未満の場合）、端末１２３はＣＰＩＣＨチャネルを使用して基地局１２１と同期することが可能である。
【００９６】
こうして、第１パスが基地局１０１との同期によって決まる正確な瞬間に位置づけられているとすれば、この仮定上のパスに固定してある端末１２３の受信機は、基地局（マイクロセルにおける）のＣＰＩＣＨチャネルで伝送された信号に対応する少なくとも１つのパスを、ＣＰＩＣＨチャネルで伝送された信号のマルチパスを特定するためにも使用される手段で探し求める。これは可能である。というのは、端末１２３と基地局１０１及び１２１の各基地局との同期の差は小さいからである。第１パスまたは特定されたパスの１つは端末１２３の基地局１２１との同期の基準（同期のベース）としても使用される。
【００９７】
３ＧＰＰ規格の文脈において、ＣＰＩＣＨは遅延が２０μ秒のマルチパスを処理するために使用することができ、このことは小セルの半径が約６ｋｍ（この場合約２０μ秒に等しい遅延に光速度を掛けると約６ｋｍになる）以下のときに誤差を補正する手段を与えることに注意する。
【００９８】
端末１２３は基地局１２１と同期すると、端末１２３は基地局１２１によって管理されるＣＰＩＣＨチャネルを通じたこの同期に従い続けることにも注意する。
【００９９】
次に端末１２３と基地局１２１は、個別チャネルＤＰＣＨにより、一部しか図示されていないが複数の信号４０７乃至４０９を通じてデータを交換する。
【０１００】
通信の終了時点で、端末１２３及び／または基地局１２１は通信が終止したことを信号４０９で通知する。
【０１０１】
図示されていない１つの変形態様として、ネットワークは、端末が基地局１０１への「ハンドオーバー」を通信終了前に実行すべきことを課す。端末は、基地局１０１およびそれ自体擬似同期している基地局１２１に同期しているので、この「ハンドオーバー」を、基地局１０１によって送信されるＣＰＩＣＨ信号と同期して迅速に実行されることができることに注意する。
【０１０２】
こうして端末１２３は待機モードに戻り、ネットワーク状況は図１に示された状況に戻る。
【０１０３】
基地局１０１は、信号４１０、４１１、４１２をそれぞれＳＣＨ、ＢＣＨ、ＰＣＨチャネルにより送信する。これらの信号はそれぞれ上述した信号４００、４０１、４０２と同様の信号である。
【０１０４】
次に、図５を参照して本発明の１つの変形態様を使用する移動体無線電話ネットワークのブロック図を説明する。
【０１０５】
例えば、このネットワークは３ＧＰＰ委員会により規定されたＵＭＴＳ規格と互換性がある。
【０１０６】
このネットワークは地理的に共通のエリア５０４で重なり合う２つのセル５００と５１０を含む。セル５１０は、端末５０３が基地局５０１に同期しているときに、基地局５１０に同期するためにこの基地局の同期チャネルＳＣＨをリスンする必要がないとみなされるほど、十分サイズが小さい。
【０１０７】
セル５００と５１０はそれぞれ基地局５０１と５１１を含むが、基地局５０１と５１１はそれぞれ対応するセル内部の通信を管理することが可能である。
【０１０８】
一例として、数個の端末（ＵＥ）がセル５００及び５１０の少なくとも１つセル内に存在し、端末５０３は共通のエリア５０４内に存在することに注意する。
【０１０９】
このため、端末５０３は基地局５０１と５１１からまたはそれらの基地局へ信号を受信または送信できる。
【０１１０】
図５において、セル５００の異なる構成要素のある瞬間における接続形態として、
基地局５０１及び５１１と端末５０２、５０３または５１２との間の細い破線で示した無線リンク、
基地局５０１と５０２の間の実線で示した有線リンク５２０
がある。
【０１１１】
例えば、有線リンク５２０は２つの基地局５０１と５１１を接続する個別回線、あるいは同期信号及びできればデータを転送することが可能な固定ネットワークケーブルの一部である。
【０１１２】
ここで、端末５０３は待機モードにあること、言い替えると、端末５０３は通信モードにはないがセル５００または５０１のどちらかと通信が可能な状態で存在するようなモードにあることに注意する。故に、端末５０３は、セル５００に属する基地局５０１によって送信された信号を特にリスンしている状態にある。これらの信号は、
通信プロトコルの高位層に提供されるサービス対応する特にＢＣＨチャネルやＰＣＨチャネルといった共通トランスポートチャネルと、
通信プロトコルの物理層に対応する特にＳＣＨチャネルやＣＰＩＣＨチャネルといった共通チャネルと
により伝送される。
【０１１３】
端末は待機モードでは個別チャネルをリスンしていないことにも注意する。
【０１１４】
３ＧＰＰネットワークによって使用されるチャネルは移動体ネットワーク分野の当業者になじみのあるものであり、それらのチャネルは特に３ＧＰＰ出版部から出版された３ＧＰＰのＴＳ２５．２１１規格リファレンス「３ＧＰＰ、技術仕様グループの無線アクセスネットワーク；物理チャネル及びトランスポートチャネルから物理チャネルへのマッピング（ＦＤＤ）、１９９９年リリース（3rd Generation Partnership Project, Technical Specification Group Radio Access Network;Physical Channels and mapping of transport channels onto physical channels (FDD) release 1999）」に詳細仕様が定められている。従ってこれらのチャネルについてはここでは詳述されない。
【０１１５】
さらに、基地局５０１と５１１は図３に示された基地局１２１と非常に類似しており、有線ネットワークインタフェースによりその他の基地局（５１１と５０１それぞれ）へのリンク５２０や移動体ネットワークもしくは他のネットワークの固定インフラへのリンクが可能になる。
【０１１６】
本発明のこの変形態様に使用される端末は上述した本発明の実施の第１態様と類似したものであることにも注意する。
【０１１７】
従って、基地局型または端末型のデバイスについてはこれ以上ここでは詳述しない。
【０１１８】
図６は端末５０３がセル５００からセル５０１に「ハンドオーバー」する際の基地局５０１と５１１と端末５０３の間の通信プロトコルを説明するための図である。
【０１１９】
本発明の図５に示された態様によれば、基地局５１１は基地局５０１のＳＣＨチャネルとは同期しない。基地局５２１の無線受信インタフェースは基地局５１１と通信中の端末によって専用の上りチャネルで送信された信号を受信する手段を提供するが、基地局５０１が共通のエリア５０４内にないときに基地局５０１によって無線媒体、特に無線同期チャネルＳＣＨで送信された信号は受信しない。
【０１２０】
一方、基地局５１１は基地局５０１によって有線リンク５２０で送信された同期信号６１５を受信する。
【０１２１】
同期信号６１５は当業者に既知の技術（例えば、基地局５１１がそれ自身の同期をそれで確定する所定レートのパルスまたは特定のビットシーケンス）に基づいて使用される。故に、この同期信号ついてはここではこれ以上詳述しない。
【０１２２】
本発明によれば、この同期信号は基地局相互の同期を最適化するためにこの信号の伝搬時間を考慮に入れることがあることにも注意する。
【０１２３】
端末が地理的に制限されたエリア５０４内に位置するという事実は端末の基地局５１１との同期を改善するために使用されることがあることにも注意する。特に、第１に端末５０３と基地局５０１との間の伝搬時間の違い、第２に端末５０３と基地局５１１との間の伝搬時間の違いを補正手段、特に次のような、
この伝搬時間の違いを考慮する基地局５１１を制御する同期信号、及び／または、
端末１２３に送信される「ハンドオーバー」信号（後述する信号６１０）と同期ポジションを指示する転送情報
を使って考慮することが可能である。
【０１２４】
同期信号６１５は基地局５０１によって定期的に送信され、基地局５１１の擬似同期が所定の閾値を下回って劣化するとすぐに基地局５１１は信号６１５から基地局５０１と再同期を図ることに注意する。
【０１２５】
基地局５０１はセル５００内に存在する端末と特に端末５０３に下りチャネルＳＣＨで信号６００も送信する。こうして端末５０３（これは待機モードにあるものとする）は基地局５０１のＳＣＨチャネルにより同期される。
【０１２６】
基地局５０１はＢＣＨチャネルで信号６０１も送信する。この下り信号は端末５０３にリスンすべきＰＣＨチャネルを知らせる。こうして、端末５０３はこの信号を受信した後、信号６０１に指示されたＰＣＨチャネルをリスンする。
【０１２７】
次に基地局５０１は端末５０３に信号６０１に指示されたＰＣＨチャネルで、着信（incoming call）を検出ために使用される信号を送信する。
【０１２８】
次に、端末５０３が通信を初期化したいと思っていると仮定すると、端末５０３はＲＡＣＨ（Random Access CHannel）チャネル（これは高位層チャネルアクセスサービスに対応する共通チャネルである）で信号６０３を送信する。この信号６０３は端末５０３が通信のセットアップを要求していることを基地局５０１に通知する信号である。
【０１２９】
次に基地局５０１はＦＡＣＨ（Fast Access CHannel）チャネル（これも高位層サービスに対応する共通チャネルである）で通信チャネル割り当て信号６０４を送信する。
【０１３０】
続いて端末５０３と基地局５０１との間の通信がセットアップされる。
【０１３１】
端末アプリケーションに相当するデータを含む１つまたは複数の信号６０５が双方向チャネルＤＰＣＨで交換される。
【０１３２】
それと同時に、端末５０３は基地局５１１によって送信された信号で受け取る電力を測定するためにセル５１０のＣＰＩＣＨチャネル（基地局５１１によって送信された信号）をリスンする。
【０１３３】
端末は続いてこの測定結果をＤＰＣＨタイプの信号６０７によって基地局５０１に送信する。
【０１３４】
端末５０３はステップ６０８で再度セル５１０のＣＰＩＣＨチャネルをリスンし、電力測定が繰り返される。
【０１３５】
端末５０３は続いてこの測定結果をＤＰＣＨタイプの信号６０９によって基地局５０１に送信する。
【０１３６】
ネットワーク（特に基地局５０１と５１１に接続されたＲＮＣ（Radio Network Controller：無線ネットワーク制御装置））は基地局５０１に伝えられた測定結果に基づいて「ハンドオーバー」を実行することを決定する。故に、基地局５０１はＤＰＣＨチャネルで伝送される信号６１０を送信して、端末５０３にセル５１０にてＤＰＣＨチャネルをリスンすべきことを通知する。
【０１３７】
端末５０３は基地局５０１によって送信されたＳＣＨチャネルと同期し、基地局５１１は基地局５０１と擬似同期し、セル５１０はサイズが小さいので、端末５０３は、
基地局５０１とのそれ自身の同期と基地局５１１の基地局５０１との擬似同期との差と、
基地局５１１から端末５０３への信号の伝搬に帰因する遅延と
の総和を超えない同期誤差によって基地局５１１とも擬似同期する。
【０１３８】
この差は既に言及した補正手段を使って減らすことができることに注意する。
【０１３９】
次に端末５０３は本発明により端末５０３の同期を微調整するパイロットチャネル６１１ＣＰＩＣＨをリスンする。セル５１０がサイズが小さく、かつ基地局５１１が基地局５０１と擬似同期している場合（言い替えれば、セル５００とセル５１０との間の同期は粗く不完全で、その同期誤差が約２０乃至３０μ秒未満の場合、同期済みネットワークのそれ自体分かっている同期誤差は１乃至２μ秒）には、端末５３と基地局５１１との間の結果として生じる同期誤差は信号６１１を使用することにより補正することができる。
【０１４０】
端末５０３を基地局５１１と同期させるためのこの作業は周波数変更が「ハンドオーバー」の際に必要な場合でさえ非常に迅速に行われることに注意する。
【０１４１】
また端末５０３は基地局５１１と同期するとき、基地局５１１によって管理されるＣＰＩＣＨチャネルを通じたこの同期に従い続けることにも注意する。
【０１４２】
端末５０３は基地局によって送信された信号と関係があるマルチパスを利用する手段を具備する。特に、ＲＡＫＥ型受信機がマルチパス信号と関係がある異なる遅延を割り出すために使用することができることに注意する。従って、遅延があまり大きくない場合（言い替えると、３ＧＰＰ規格の文脈で２０μ秒未満の場合）、端末５０３はＣＰＩＣＨチャネルと同期することが可能である。
【０１４３】
３ＧＰＰ規格の文脈において、ＣＰＩＣＨは遅延が２０μ秒のマルチパスを処理することが可能であり、このことは小セルの半径が約６ｋｍ（この場合約２０μ秒に等しい遅延に光速度を掛けると約６ｋｍになる）以下のときに誤差を補正する手段を与えることに注意する。
【０１４４】
次に端末５０３と基地局５１１は個別チャネルＤＰＣＨで、ほんの一部しか図示されていないが数個の信号６１１と６１２を使ってデータを交換する。
【０１４５】
通信の終了時点で、端末５０３及び／または基地局５１１は通信が終止したことを告げるための信号６１２を出力する。
【０１４６】
こうして端末５０３は待機モードに戻る。
【０１４７】
次に基地局５１１は信号６１４をＳＣＨ、ＢＣＨ及びＰＣＨチャネルで送信するが、これらの信号はそれぞれ上述した信号６００、６０１及び６０２と同様の信号である。
【０１４８】
端末５０３はセル５１０によってまだ管理されていることに注意する。
【０１４９】
示されていない１つの変形態様として、端末が待機モードにあり、かつ共通のエリア５０４内にあるとき、その端末はセル５００に特有な共通チャネルをリスンする。
【０１５０】
明らかに、本発明は上述した実施態様の例に限定にされない。
【０１５１】
特に、当業者であれば２つのセルが擬似同期されるこれまで説明してきた態様に任意の変更を加えることができるはずである。つまり、あるセルの基地局が別のセルの基地局によって送信された同期信号を例えば有線リンクまたは無線リンク（特にＳＣＨチャネル）を使って受信することを考えることができるであろう。
【０１５２】
本発明は、２つの基地局が一方の基地局から他方の基地局に送信された信号を使って擬似同期される場合に限定されることはなく、第３の装置（例えば２つの基地局を管理するＮＣＳまたは専用の第３装置）が両方の基地局に同期信号を送信する場合が含まれる。
【０１５３】
本発明はＵＭＴＳまたは３ＧＰＰネットワークに限定されることはなく、任意のセルラー方式ネットワークに適用可能であることに注意する。
【０１５４】
また、本発明は純粋なハードウェア構成に限定されることはなく、コンピュータプログラムの一連の命令の形、あるいはハードウェア部分とソフトウェア部分の混成の形で実施できることに注意する。本発明が部分的または全体的にソフトウェアの形で実施される場合、それに対応する一連の命令は取り外し可能な記憶手段（例えばフロッピディスク、ＣＤ−ＲＯＭまたはＤＶＤ−ＲＯＭ）または取り外し不可能な記憶手段に記憶されることがある。この記憶手段はコンピュータまたはマイクロプロセッサによって部分的または全体的に読み出し可能である。
【図面の簡単な説明】
【０１５５】
【図１】本発明の実施の一態様に基づくセルラー通信ネットワークのブロック図である。
【図２】マイクロセルに付随する基地局と端末との間の通信がセットアップされた後の図１に示されたネットワークのブロック図である。
【図３】図１と図２に示されたネットワークの「マイクロセル」基地局を示した図である。
【図４】図１の状況から図２の状況への移行を可能にするセルラー通信ネットワークの異なる構成要素間の通信プロトコルを説明するための図である。
【図５】本発明の一変形態様に基づくセルラー通信ネットワークのブロック図である。
【図６】高速「ハンドオーバー」手続の際の図５に示されたセルラー通信ネットワークの異なる構成要素間の通信プロトコルを説明するための図である。
【図１】
2005510943.tif 000003
【図２】
2005510943.tif 000004
【図３】
2005510943.tif 000005
【図４】
2005510943.tif 000006
【図５】
2005510943.tif 000007
【図６】
2005510943.tif 000008
【国際調査報告】
2005510943.tif 000009
2005510943.tif 000010
2005510943.tif 000011
2005510943.tif 000012
2005510943.tif 000013
2005510943.tif 000014